(57)【特許請求の範囲】
【請求項１】
浴槽水を循環させる風呂経路を備えた熱交換器と、循環させるための循環ポンプと、風呂経路に取り付けられた温度検知器と、風呂経路を加熱するための加熱器と、前記温度検知器が所定の下限設定温度を検知すると、まず所定時間循環ポンプの単独運転を行い、所定時間経過後の温度検知器の検出温度と下限設定温度の判定結果に基づき、循環ポンプの単独運転を継続するか、循環ポンプと加熱器の同時運転を行うかを決定し、温度検知器の検出温度が下限設定温度を越えない場合のみ、循環ポンプと加熱器の同時運転を行うようにしたふろがま付給湯機。
【請求項２】
灯油を気化させるための気化用ヒータを内蔵した気化器を有するバーナを備えたものにおいて、加熱器の代わりに、気化用ヒータを用いた請求項１記載のふろがま付給湯機。
【発明の詳細な説明】
【０００１】
【産業上の利用分野】
本発明は、ふろがま付給湯機の、風呂経路の凍結予防に関するものである。
【０００２】
【従来の技術】
従来この種のふろがま付給湯機は、図３に示すように、バーナ２１と、浴槽２２の水を循環させる風呂経路２３を備えた熱交換器２４と、循環させるための循環ポンプ２５と、風呂経路に取り付けられた温度検知器２６と、制御装置２７があった。
【０００３】
従来は、風呂経路の凍結予防のために  浴槽２２にわずかの浴槽水を残し、温度検知器２６が所定の下限設定温度まで下がると前記循環ポンプ２５を運転し、温かい浴槽水を風呂経路に通し、温度検知器２６が所定の上限設定温度まで上がると循環ポンプを止めることで、風呂経路の凍結予防をおこなっていた。
【０００４】
【発明が解決しようとする課題】
しかし、従来の方法では、長時間凍結予防しなければならない場合、また、冷え込みが厳しい場合、浴槽水の保有する熱が徐々に放熱してしまい、温度検知器１６が上限設定温度まで上がることがなくなり、さらに温度が低下し氷点近くになり、最後は風呂回路が凍結してしまうという問題があった。
【０００５】
そこで、本発明は長時間凍結予防しなければならない場合や、冷え込みが厳しい場合でも風呂経路の凍結予防を行うことを目的とする。
【０００６】
【課題を解決するための手段】
目的を達成するために、本発明は、浴槽水を循環させる風呂経路を備えた熱交換器と、循環させるための循環ポンプと、風呂経路に取り付けられた温度検知器と、風呂経路を加熱するための加熱器と、前記温度検知器が所定の下限設定温度を検知すると、まず所定時間循環ポンプの単独運転を行い、所定時間経過後の温度検知器の検出温度と下限設定温度の判定結果に基づき、循環ポンプの単独運転を継続するか、循環ポンプと加熱器の同時運転を行うかを決定し、温度検知器の検出温度が下限設定温度を越えない場合のみ、循環ポンプと加熱器の同時運転を行うようにしたものである。
【０００７】
【作用】
本発明は上記した構成により、温度検知器が所定の下限設定温度を検知すると、循環ポンプの運転を開始し、所定時間経過した時点で温度検知器の検出温度と下限設定温度を比較し、下限設定温度を越えないときには、浴槽水の温度が下がり過ぎて、凍結の可能性があるとし、このときのみ加熱器で風呂回路を加熱するようにしており、所定時間経過後の浴槽水温度により、循環ポンプの単独運転を継続するか、加熱器と循環ポンプの同時運転を行うかを判定するようにしているため、経済的に風呂経路の凍結予防ができる。
【０００８】
【実施例】
以下本発明の実施例を図面にもとづいて説明する。図１は本発明の一実施例のふろがま付給湯機の縦断面図である。
【０００９】
図１において、１は浴槽１１の浴槽水１２を循環させる風呂経路２と給湯を行うための給湯経路３を備えた熱交換器で、２ａは浴槽水１２が入ってくる入口部、２ｂは給湯機から浴槽１１へ出ていく出口部、１１ａは浴槽１１と入口部２ａと出口部２ｂをつなぐ浴槽配管、４は浴槽水１２を循環させる循環ポンプ、５は風呂経路２に取り付けられた温度検知器、６は風呂経路２を加熱するための加熱器、８はバーナ、９はバーナ８に燃焼用空気を供給する送風機、１０はバーナ８に燃料を供給する燃料用ポンプ、７はバーナ８の燃焼コントロ−ルや、加熱器６、温度検知器５、循環ポンプ４の制御を行う制御装置である。
【００１０】
上記構成において、風呂経路２の凍結予防の動作を説明する。通常、浴槽配管１１ａとふろがま付給湯機は屋外に置かれている。また、凍結のおそれのある場合には浴槽１１に浴槽水１２は残してもらう。気温がさがると、浴槽配管１１ａ内の水の温度が低下し、また、入口部２ａの近くの風呂経路に設けた温度検知器５の温度も低下する。温度検知器５が所定の下限設定温度まで下がると、凍結のおそれがあるため、循環ポンプ４を運転する。循環ポンプ４が運転されることで、浴槽１１内のまだ温かい浴槽水１２が温度の下がった浴槽配管１１ａに流れる。温かい浴槽水１２が浴槽配管１１ａや風呂経路２に充分循環し、温度検知器５が所定の上限設定温度まで上がると、凍結のおそれがなくなるので循環ポンプ４の運転を停止する。しかし、気温が極端に低下したり、長時間凍結予防しなければならない場合には、循環ポンプ４が運転するごとに、浴槽配管１１ａより放熱されるため、浴槽水１２の温度は低下する。温度検知器５が所定の下限設定温度まで下がり、循環ポンプ４を運転するが、所定の時間が経過しても下限設定温度を越えない場合には、浴槽水１２の温度が下限設定温度より低いと判定して、加熱器６を通電加熱し、風呂経路内の水を加熱することで風呂経路２と浴槽配管１１ａを凍結予防するのである。また、加熱器６を通電加熱し、温度検知器５が所定の上限設定温度まで上れば、循環ポンプ４の運転と加熱器６の通電は停止する。
【００１１】
図２に他の実施例を示す。８は灯油を気化させるための気化用ヒーター１４を内蔵した気化器１３を有するバーナである。燃料用ポンプ１０から供給された灯油は気化用ヒーター１４で加熱された気化器１３に送られ気化し、送風機９からの燃焼用空気と混合され炎孔部１５で燃焼し、熱交換器１で給湯経路３や風呂経路２の水と熱交換される。この実施例では、温度検知器５が所定の下限設定温度まで下がり、循環ポンプ４を運転するが、所定の時間が経過しても下限設定温度を越えない場合には、浴槽水１２の温度が下限設定温度より低いと判定して、バーナ８内の気化用ヒーターに通電し、気化器１３を加熱し、気化器１３からの放熱を利用して、熱交換器１の風呂経路２を加熱し、風呂経路２と浴槽配管１１ａを凍結予防するのである。
【００１２】
【発明の効果】
以上実施例で説明したように本発明によれば、温度検知器の検出温度と下限設定温度の判定結果に基づき、循環ポンプの単独運転を行うか、循環ポンプと加熱器の同時運転を行うかを判定し、温度検知器の検出温度が下限設定温度を越えない場合のみ、つまり、気温が極端に低下したり、長時間凍結予防しなければならない場合などに、浴槽水の保有する熱量だけでは凍結がさけられないときには、加熱器と循環ポンプの同時運転を行うようにしているため、経済的に風呂経路の凍結予防ができるものである。
【図面の簡単な説明】
【図１】本発明の一実施例のふろがま付給湯機の縦断面図
【図２】本発明の他の一実施例のふろがま付給湯機の縦断面図
【図３】従来のふろがま付給湯機の縦断面図
【符号の説明】
１  熱交換器
２  風呂経路
２ａ  入口部
２ｂ  出口部
３  給湯経路
４  循環ポンプ
５  温度検知器
６  加熱器
７  制御装置
１１  浴槽
１２  浴槽水
１３  気化器
１４  気化用ヒーター
【図１】
0003606937.tif 000002
【図２】
0003606937.tif 000003
【図３】
0003606937.tif 000004